(57)【要約】【課題】可搬型記憶媒体に記憶されている医用画像を容易に利用可能とする。【解決手段】病院Ａの第１の医用画像システム１００において、画像サーバ３０ａは、モダリティ２０ａから送信された医用画像データと病院情報管理装置１０ａから送信されたオーダ情報とを対応付けて可搬媒体４０に記憶させる。可搬媒体４０が持ち込まれた病院Ｂの第２の医用画像システム２００において、病院情報管理装置１０ｂは、可搬媒体４０に記憶されているオーダ情報を読み出し、読み出されたオーダ情報を画像サーバ３０ｂに送信する。画像サーバ３０ｂは、可搬媒体４０に記憶されている医用画像を読み出し、読み出された医用画像と病院情報管理装置１０ｂから送信されたオーダ情報とを対応付けて記憶する。【選択図】図１
2010131034.tif 000002
【特許請求の範囲】
【請求項１】
病院情報管理装置、画像生成装置及び画像サーバが通信ネットワークを介してデータ通信可能に接続されている医用画像システムであって、
前記病院情報管理装置は、医用画像の生成を指示するオーダ情報を前記画像生成装置及び前記画像サーバに送信する送信部を備え、
前記画像生成装置は、前記病院情報管理装置から送信されたオーダ情報に基づいて、医用画像を生成する撮影部と、前記生成された医用画像を前記画像サーバに送信する送信部と、を備え、
前記画像サーバは、前記画像生成装置から送信された医用画像と前記病院情報管理装置から送信されたオーダ情報とを対応付けて可搬型記憶媒体に記憶させる制御部を備える医用画像システム。
【請求項２】
病院情報管理装置及び画像サーバが通信ネットワークを介してデータ通信可能に接続されている医用画像システムであって、
前記病院情報管理装置は、医用画像及び当該医用画像を生成する際のオーダ情報が記憶されている可搬型記憶媒体から前記オーダ情報を読み出す制御部と、当該読み出されたオーダ情報を前記画像サーバに送信する送信部と、を備え、
前記画像サーバは、前記可搬型記憶媒体に記憶されている医用画像を読み出し、当該読み出された医用画像と前記病院情報管理装置から送信されたオーダ情報とを対応付けて記憶部に記憶させる制御部を備え、
前記病院情報管理装置の制御部は、さらに、前記オーダ情報に基づいて、前記記憶部に記憶されている医用画像を取得し、当該取得された医用画像を表示部に表示させる医用画像システム。
【請求項３】
第１の病院情報管理装置、画像生成装置及び第１の画像サーバが第１の通信ネットワークを介してデータ通信可能に接続されている第１の医用画像システムと、第２の病院情報管理装置及び第２の画像サーバが第２の通信ネットワークを介してデータ通信可能に接続されている第２の医用画像システムと、を有する医用画像システムであって、
前記第１の病院情報管理装置は、医用画像の生成を指示するオーダ情報を前記画像生成装置及び前記第１の画像サーバに送信する送信部を備え、
前記画像生成装置は、前記第１の病院情報管理装置から送信されたオーダ情報に基づいて、医用画像を生成する撮影部と、前記生成された医用画像を前記第１の画像サーバに送信する送信部と、を備え、
前記第１の画像サーバは、前記画像生成装置から送信された医用画像と前記第１の病院情報管理装置から送信されたオーダ情報とを対応付けて可搬型記憶媒体に記憶させる制御部を備え、
前記第２の病院情報管理装置は、前記可搬型記憶媒体に記憶されているオーダ情報を読み出す制御部と、当該読み出されたオーダ情報を前記第２の画像サーバに送信する送信部と、を備え、
前記第２の画像サーバは、前記可搬型記憶媒体に記憶されている医用画像を読み出し、当該読み出された医用画像と前記第２の病院情報管理装置から送信されたオーダ情報とを対応付けて記憶部に記憶させる制御部を備え、
前記第２の病院情報管理装置の制御部は、さらに、前記オーダ情報に基づいて、前記記憶部に記憶されている医用画像を取得し、当該取得された医用画像を表示部に表示させる医用画像システム。
【発明の詳細な説明】
【技術分野】
【０００１】
本発明は、医用画像システムに関する。
【背景技術】
【０００２】
近年、医療の分野では、患者を撮影した医用画像のデジタル化が実現されている。例えば、ＣＲ（Computed Radiography）装置、ＣＴ（Computed Tomography）装置、ＭＲＩ（Magnetic Resonance Imaging）装置等の画像生成装置（モダリティ）により撮影され、デジタル化された医用画像は、患者情報や検査情報等とともにＰＡＣＳ（Picture Archiving and Communication System）に保存され、管理されている。
【０００３】
具体的には、ＨＩＳ（Hospital Information System：病院情報システム）やＲＩＳ（Radiological Information System：放射線情報システム）から患者情報や検査情報を含むオーダ情報がモダリティに送信され、モダリティは、撮影技師の操作に従ってそのオーダ情報に基づいた撮影を行う。そして、その撮影によって得られた医用画像を、ＤＩＣＯＭ（Digital Imaging and Communications in Medicine）規格に基づいたデータ形式で生成した後に、ＰＡＣＳに転送する。ＨＩＳやＲＩＳでは、患者情報や検査情報に基づいて、ＰＡＣＳに保存されている医用画像を参照することができる。
【０００４】
患者が複数の医療機関を利用する場合には、複数の医療機関相互間において同じ患者の診療情報を交換できると便利である。そのような例として、複数の医療機関がインターネットを介してデータ送受信可能に構成されている医療機関連携システムにおいて、診療情報等について電子メールで情報交換を行うことが提案されている（特許文献１参照）。
【０００５】
また、ＰＡＣＳで管理される医用画像を他のシステムや一般患者へ提供する方法として、ネットワークによる提供とは別に、ＩＨＥ（Integrating the Healthcare Enterprise）におけるＰＤＩ（Portable Data for Imaging）に対応した可搬型の記憶媒体による提供も行われている。これは、医用画像をＣＤ−Ｒ（Compact Disk Recordable）やＤＶＤ−Ｒ（Digital Versatile Disk Recordable）等の記憶媒体に保存し、記憶媒体を搬送することによりデータの移送を行うものである。また、ＰＤＩでは、記憶媒体におけるディレクトリ構成や索引ファイル等も規定されており、異なる医療機関の間でのデータ交換が保証されている。
【特許文献１】特開２００３−３０３３８号公報
【発明の開示】
【発明が解決しようとする課題】
【０００６】
しかし、可搬型記憶媒体を介して他の医療機関から医用画像が持ち込まれた場合、その医用画像は他の医療機関で撮影されたものであるため、持ち込み先の新たな医療機関では患者情報や検査情報が登録されておらず、画像サーバに画像が取り込まれた場合であっても、新たな医療機関において患者情報や検査情報に基づいて画像を参照することはできなかった。
【０００７】
本発明は上記の従来技術における問題に鑑みてなされたものであって、可搬型記憶媒体に記憶されている医用画像を容易に利用可能とする医用画像システムを提供することを課題とする。
【課題を解決するための手段】
【０００８】
上記課題を解決するために、請求項１に記載の発明は、病院情報管理装置、画像生成装置及び画像サーバが通信ネットワークを介してデータ通信可能に接続されている医用画像システムであって、前記病院情報管理装置は、医用画像の生成を指示するオーダ情報を前記画像生成装置及び前記画像サーバに送信する送信部を備え、前記画像生成装置は、前記病院情報管理装置から送信されたオーダ情報に基づいて、医用画像を生成する撮影部と、前記生成された医用画像を前記画像サーバに送信する送信部と、を備え、前記画像サーバは、前記画像生成装置から送信された医用画像と前記病院情報管理装置から送信されたオーダ情報とを対応付けて可搬型記憶媒体に記憶させる制御部を備える。
【０００９】
請求項２に記載の発明は、病院情報管理装置及び画像サーバが通信ネットワークを介してデータ通信可能に接続されている医用画像システムであって、前記病院情報管理装置は、医用画像及び当該医用画像を生成する際のオーダ情報が記憶されている可搬型記憶媒体から前記オーダ情報を読み出す制御部と、当該読み出されたオーダ情報を前記画像サーバに送信する送信部と、を備え、前記画像サーバは、前記可搬型記憶媒体に記憶されている医用画像を読み出し、当該読み出された医用画像と前記病院情報管理装置から送信されたオーダ情報とを対応付けて記憶部に記憶させる制御部を備え、前記病院情報管理装置の制御部は、さらに、前記オーダ情報に基づいて、前記記憶部に記憶されている医用画像を取得し、当該取得された医用画像を表示部に表示させる。
【００１０】
請求項３に記載の発明は、第１の病院情報管理装置、画像生成装置及び第１の画像サーバが第１の通信ネットワークを介してデータ通信可能に接続されている第１の医用画像システムと、第２の病院情報管理装置及び第２の画像サーバが第２の通信ネットワークを介してデータ通信可能に接続されている第２の医用画像システムと、を有する医用画像システムであって、前記第１の病院情報管理装置は、医用画像の生成を指示するオーダ情報を前記画像生成装置及び前記第１の画像サーバに送信する送信部を備え、前記画像生成装置は、前記第１の病院情報管理装置から送信されたオーダ情報に基づいて、医用画像を生成する撮影部と、前記生成された医用画像を前記第１の画像サーバに送信する送信部と、を備え、前記第１の画像サーバは、前記画像生成装置から送信された医用画像と前記第１の病院情報管理装置から送信されたオーダ情報とを対応付けて可搬型記憶媒体に記憶させる制御部を備え、前記第２の病院情報管理装置は、前記可搬型記憶媒体に記憶されているオーダ情報を読み出す制御部と、当該読み出されたオーダ情報を前記第２の画像サーバに送信する送信部と、を備え、前記第２の画像サーバは、前記可搬型記憶媒体に記憶されている医用画像を読み出し、当該読み出された医用画像と前記第２の病院情報管理装置から送信されたオーダ情報とを対応付けて記憶部に記憶させる制御部を備え、前記第２の病院情報管理装置の制御部は、さらに、前記オーダ情報に基づいて、前記記憶部に記憶されている医用画像を取得し、当該取得された医用画像を表示部に表示させる。
【発明の効果】
【００１１】
請求項１に記載の発明によれば、医用画像とオーダ情報とを対応付けて可搬型記憶媒体に記憶させるので、他の医療機関に可搬型記憶媒体が持ち込まれた場合に、可搬型記憶媒体に記憶されている医用画像を容易に利用することができる。
【００１２】
請求項２に記載の発明によれば、病院情報管理装置において、他の医療機関で作成された可搬型記憶媒体からオーダ情報を読み出し、画像サーバに送信するので、画像サーバでは、可搬型記憶媒体から読み出した医用画像とオーダ情報とを対応付けて記憶部に記憶させることができる。したがって、他の医療機関で生成された医用画像についても、システム内で生成された医用画像と同様に扱うことが可能となり、可搬型記憶媒体に記憶されている医用画像を容易に利用することができる。
【００１３】
請求項３に記載の発明によれば、第１の医用画像システムにおいて、医用画像とオーダ情報とを対応付けて可搬型記憶媒体に記憶させるので、第２の医用画像システムにおいて、可搬型記憶媒体に記憶されている医用画像を容易に利用することができる。
【発明を実施するための最良の形態】
【００１４】
以下、図面を参照して、本発明に係る医用画像システムの実施の形態について説明する。
図１に、本実施の形態における医用画像システム１のシステム構成を示す。医用画像システム１は、第１の医用画像システム１００及び第２の医用画像システム２００を有する。第１の医用画像システム１００は病院Ａにおけるシステムであって、他の医療機関に提供するための可搬型記憶媒体（以下、「可搬媒体」という。）４０を作成する。第２の医用画像システム２００は病院Ｂにおけるシステムであって、他の医療機関から提供された可搬媒体４０を利用することが可能となっている。なお、図１では、医用画像システム１が二つの医療機関における医用画像システム（第１の医用画像システム１００及び第２の医用画像システム２００）を有する場合を図示しているが、より多くの医療機関における医用画像システムを含む構成であってもよい。
【００１５】
第１の医用画像システム１００は、病院情報管理装置１０ａと、モダリティ２０ａと、画像サーバ３０ａとがＬＡＮ（Local Area Network）等の通信ネットワークＮ１を介して接続され、それぞれがデータ通信可能に構成されている。
【００１６】
病院情報管理装置１０ａは、内科、外科、皮膚科等の各診療科の医師によって使用される装置であって、患者単位で問診、所見、診断、過去の病歴等の情報管理を行う。なお、ここでは、病院情報管理装置１０ａを単一の装置として説明するが、通信ネットワークＮ１を介して接続された複数のクライアント端末装置からデータの入力や参照が可能なシステムを構成するものであってもよく、一般的には、ＨＩＳで構成される。
【００１７】
図２に、病院情報管理装置１０ａの機能的構成を示す。図２に示すように、病院情報管理装置１０ａは、制御部１１、入力部１２、表示部１３、通信部１４、メディアドライブ１５、記憶部１６等を備えて構成され、各部はバス１７により接続されている。
【００１８】
制御部１１は、ＣＰＵ（Central Processing Unit）、ＲＯＭ（Read Only Memory）、ＲＡＭ（Random Access Memory）等から構成され、病院情報管理装置１０ａの各部の処理動作を統括的に制御する。具体的には、ＣＰＵは、入力部１２から入力される操作信号又は通信部１４により受信される指示信号に応じて、ＲＯＭに記憶されている各種処理プログラムを読み出し、ＲＡＭ内に形成されたワークエリアに展開し、当該プログラムとの協働により各種処理を行う。
【００１９】
入力部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００２０】
表示部１３は、ＬＣＤ（Liquid Crystal Display）により構成され、制御部１１から入力される表示データに基づいて各種画面を表示する。
【００２１】
通信部１４は、ＬＡＮアダプタ、ルータ、ＴＡ（Terminal Adapter）等を備え、通信ネットワークＮ１を介して接続されたモダリティ２０ａ、画像サーバ３０ａ等の外部機器との間でデータの送受信を行う。例えば、通信部１４は、医用画像の生成を指示するオーダ情報をモダリティ２０ａ及び画像サーバ３０ａに送信する。オーダ情報には、オーダ番号、依頼部門、依頼者、撮影実施予定日、患者情報（患者ＩＤ、氏名、性別、生年月日等）、撮影装置、手技、部位、方向、体位、撮影技師等が含まれる。
【００２２】
メディアドライブ１５は、可搬媒体４０に記憶されているデータの読み出しや、可搬媒体４０に対するデータの書き込みを行う。
【００２３】
記憶部１６は、ハードディスク等の記憶装置であり、オーダ情報等、各種データを記憶する。
【００２４】
モダリティ２０ａは、患者を撮影し、医用画像の画像データ（以下、「医用画像データ」という。）を生成する画像生成装置である。モダリティ２０ａとしては、ＣＲ装置、ＣＴ装置、ＭＲＩ装置、内視鏡装置、超音波診断装置等、様々な種類の医用画像を撮影するモダリティが適用可能である。
【００２５】
図３に、モダリティ２０ａの機能的構成を示す。図３に示すように、モダリティ２０ａは、制御部２１、入力部２２、表示部２３、通信部２４、撮影部２５、記憶部２６等を備えて構成され、各部はバス２７により接続されている。
【００２６】
制御部２１は、ＣＰＵ、ＲＯＭ、ＲＡＭ等から構成され、モダリティ２０ａの各部の処理動作を統括的に制御する。具体的には、ＣＰＵは、入力部２２から入力される操作信号又は通信部２４により受信される指示信号に応じて、ＲＯＭに記憶されている各種処理プログラムを読み出し、ＲＡＭ内に形成されたワークエリアに展開し、当該プログラムとの協働により各種処理を行う。
【００２７】
入力部２２は、各種設定キー、操作指示キー等を備え、キー操作により入力された操作信号を制御部２１に出力する。
【００２８】
表示部２３は、ＬＣＤにより構成され、制御部２１から入力される表示データに基づいて各種画面を表示する。
【００２９】
通信部２４は、ＬＡＮアダプタ、ルータ、ＴＡ等を備え、通信ネットワークＮ１を介して接続された病院情報管理装置１０ａ、画像サーバ３０ａ等の外部機器との間でデータの送受信を行う。例えば、通信部２４は、病院情報管理装置１０ａから送信されたオーダ情報を受信する。また、通信部２４は、撮影部２５により生成された医用画像データを画像サーバ３０ａに送信する。
【００３０】
撮影部２５は、撮影技師の入力部２２からの指示により、病院情報管理装置１０ａから送信されたオーダ情報に基づいて、患者を撮影して医用画像データを生成する。
【００３１】
記憶部２６は、ハードディスク等の記憶装置であり、撮影部２５により生成された医用画像データを記憶する。
【００３２】
制御部２１は、病院情報管理装置１０ａから送信されたオーダ情報に基づいて撮影部２５に撮影を行わせ、撮影部２５により患者を撮影して得られた画像のデータ信号をＤＩＣＯＭ規格に則ったデジタルデータに変換し、当該医用画像データに関連する関連情報を付帯させる。関連情報には、患者情報（患者ＩＤ、氏名、性別、生年月日等）、検査情報（検査日付、検査時刻、検査インスタンスＵＩＤ、受付番号、撮影技師、依頼医師、依頼部門等）、シリーズ情報（撮影装置、手技、部位）等が含まれる。
【００３３】
画像サーバ３０ａは、医用画像データを保存し、管理する。
【００３４】
図４に、画像サーバ３０ａの機能的構成を示す。図４に示すように、画像サーバ３０ａは、制御部３１、入力部３２、表示部３３、通信部３４、メディアドライブ３５、記憶装置３６等を備えて構成され、各部はバス３７により接続されている。
【００３５】
制御部３１は、ＣＰＵ、ＲＯＭ、ＲＡＭ等から構成され、画像サーバ３０ａの各部の処理動作を統括的に制御する。具体的には、ＣＰＵは、入力部３２から入力される操作信号又は通信部３４により受信される指示信号に応じて、ＲＯＭに記憶されている各種処理プログラムを読み出し、ＲＡＭ内に形成されたワークエリアに展開し、当該プログラムとの協働により各種処理を行う。
【００３６】
入力部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００３７】
表示部３３は、ＬＣＤにより構成され、制御部３１から入力される表示データに基づいて各種画面を表示する。
【００３８】
通信部３４は、ＬＡＮアダプタ、ルータ、ＴＡ等を備え、通信ネットワークＮ１を介して接続された病院情報管理装置１０ａ、モダリティ２０ａ等の外部機器との間でデータの送受信を行う。例えば、通信部３４は、病院情報管理装置１０ａから送信されたオーダ情報を受信する。また、通信部３４は、モダリティ２０ａから送信された医用画像データを受信する。
【００３９】
メディアドライブ３５は、可搬媒体４０に記憶されているデータの読み出しや、可搬媒体４０に対するデータの書き込みを行う。
【００４０】
記憶装置３６は、ハードディスク等から構成され、モダリティ２０ａにより生成された医用画像データ、病院情報管理装置１０ａから送信されたオーダ情報等を記憶する。
【００４１】
制御部３１は、メディアドライブ３５を介して、モダリティ２０ａから送信された医用画像データと病院情報管理装置１０ａから送信されたオーダ情報とを対応付けて可搬媒体４０に記憶させる。
【００４２】
可搬媒体４０は、ＣＤ−ＲやＤＶＤ−Ｒ等の可搬型の記憶媒体であって、病院Ａで撮影され、ＤＩＣＯＭ規格に則って生成された医用画像データ及び当該医用画像データを生成する際のオーダ情報が記憶される。可搬媒体４０に記憶されるデータは、ＰＤＩに従ったデータ構造を有している。
【００４３】
ここで、図５を参照して、ＰＤＩによる可搬媒体４０のデータ構造について説明する。図５に示すように、ルートディレクトリ４１は、ＤＩＣＯＭＤＩＲファイル４２、ＤＩＣＯＭディレクトリ４３、ＨＬ７（Health Level ７：医療情報標準化規格）インデックス４４、ＨＬ７ディレクトリ４５を構成要素としている。
【００４４】
ＤＩＣＯＭＤＩＲファイル４２は、可搬媒体４０に記憶されている医用画像データを統一的に管理する索引ファイルである。ＤＩＣＯＭディレクトリ４３は、医用画像データを格納するためのディレクトリである。
【００４５】
ＨＬ７インデックス４４は、可搬媒体４０に記憶されているオーダ情報を統一的に管理する索引ファイルである。ＨＬ７ディレクトリ４５は、オーダ情報を記述したＨＬ７電文を格納するためのディレクトリである。
【００４６】
第２の医用画像システム２００は、図１に示すように、病院情報管理装置１０ｂと、モダリティ２０ｂと、画像サーバ３０ｂとがＬＡＮ等の通信ネットワークＮ２を介して接続され、それぞれがデータ通信可能に構成されている。
【００４７】
病院情報管理装置１０ｂは、図２に示した病院情報管理装置１０ａと同様の構成によってなるため、同一の構成部分については同一の符号を付し、その構成については図示及び説明を省略する。ただし、病院情報管理装置１０ｂの場合には、モダリティ２０ａ及び画像サーバ３０ａに代えて、モダリティ２０ｂ及び画像サーバ３０ｂとデータ通信を行う。
【００４８】
モダリティ２０ｂは、図３に示したモダリティ２０ａと同様の構成によってなるため、その構成については図示及び説明を省略する。ただし、モダリティ２０ｂの場合には、病院情報管理装置１０ａ及び画像サーバ３０ａに代えて、病院情報管理装置１０ｂ及び画像サーバ３０ｂとデータ通信を行う。
【００４９】
画像サーバ３０ｂは、図４に示した画像サーバ３０ａと同様の構成によってなるため、同一の構成部分については同一の符号を付し、その構成については図示及び説明を省略する。ただし、画像サーバ３０ｂの場合には、病院情報管理装置１０ａ及びモダリティ２０ａに代えて、病院情報管理装置１０ｂ及びモダリティ２０ｂとデータ通信を行う。
【００５０】
ここで、第２の医用画像システム２００に特徴的な構成について説明する。
病院情報管理装置１０ｂの制御部１１は、メディアドライブ１５を介して、医用画像データ及び当該医用画像データを生成する際のオーダ情報が記憶されている可搬媒体４０からオーダ情報を読み出す。また、病院情報管理装置１０ｂの通信部１４は、読み出されたオーダ情報を画像サーバ３０ｂに送信する。
【００５１】
画像サーバ３０ｂの制御部３１は、メディアドライブ３５を介して、可搬媒体４０に記憶されている医用画像データを読み出し、読み出された医用画像データと病院情報管理装置１０ｂから送信されたオーダ情報とを対応付けて記憶装置３６に記憶させる。
【００５２】
病院情報管理装置１０ｂの制御部１１は、オーダ情報に基づいて、画像サーバ３０ｂの記憶装置３６に記憶されている医用画像データを取得し、取得された医用画像データに基づいて医用画像を表示部１３に表示させる。
【００５３】
次に、動作を説明する。
図６は、第１の医用画像システム１００において実行される可搬媒体作成処理を示すラダーチャートである。この処理は、病院Ａにおいて患者を撮影して得られた医用画像データを、他の医療機関においても利用可能なように、可搬媒体４０に記憶させる処理である。
【００５４】
まず、病院情報管理装置１０ａでは、医師の操作により、入力部１２からオーダ情報が入力される（ステップＳ１）。オーダ情報として、例えば、依頼部門、依頼者、撮影実施日、患者情報（患者ＩＤ、氏名、性別、生年月日等）、撮影装置、手技、部位、方向、体位、撮影技師等の情報が入力される。また、制御部１１により、オーダ情報のオーダ番号が採番される。そして、制御部１１の制御に従って、通信部１４により、オーダ情報がモダリティ２０ａ及び画像サーバ３０ａに送信される（ステップＳ２）。
【００５５】
モダリティ２０ａでは、通信部２４により、病院情報管理装置１０ａから送信されたオーダ情報が受信されると、撮影部２５により患者が撮影され（ステップＳ３）、制御部２１により、ＤＩＣＯＭ規格に則った医用画像データが生成される（ステップＳ４）。そして、制御部２１の制御に従って、通信部２４により、医用画像データが画像サーバ３０ａに送信される（ステップＳ５）。
【００５６】
画像サーバ３０ａでは、通信部３４により、モダリティ２０ａから送信された医用画像データが受信され、制御部３１により、モダリティ２０ａから送信された医用画像データと病院情報管理装置１０ａから送信されたオーダ情報とが対応付けられて記憶装置３６に記憶される（ステップＳ６）。
【００５７】
次に、入力部３２からの操作により、可搬媒体４０に記憶すべき医用画像データが選択され、制御部３１により、メディアドライブ３５を介して、選択された医用画像データが可搬媒体４０に記憶される（ステップＳ７）。そして、制御部３１により、メディアドライブ３５を介して、可搬媒体４０に記憶された医用画像データに対応するオーダ情報が、当該医用画像データと対応付けられて可搬媒体４０に記憶される（ステップＳ８）。
以上で、可搬媒体作成処理が終了する。
【００５８】
図７は、第２の医用画像システム２００において実行される医用画像データ登録処理を示すラダーチャートである。この処理は、患者が病院Ａで作成された可搬媒体４０を病院Ｂに持参した場合に行われる処理である。
【００５９】
まず、病院情報管理装置１０ｂのメディアドライブ１５に可搬媒体４０がセットされ、制御部１１により、メディアドライブ１５を介して、可搬媒体４０に記憶されているオーダ情報が読み出される（ステップＳ１１）。そして、制御部１１の制御に従って、通信部１４により、オーダ情報が画像サーバ３０ｂに送信される（ステップＳ１２）。
【００６０】
画像サーバ３０ｂでは、通信部３４により、病院情報管理装置１０ｂから送信されたオーダ情報が受信され、制御部３１により、オーダ情報が記憶装置３６に記憶される。
【００６１】
その後、画像サーバ３０ｂのメディアドライブ３５に可搬媒体４０がセットされると、制御部３１により、オーダ情報に基づいて、メディアドライブ３５を介して可搬媒体４０に記憶されている医用画像データが読み出され（ステップＳ１３）、読み出された医用画像データとオーダ情報とが対応付けられて記憶装置３６に記憶される（ステップＳ１４）。具体的には、医用画像データに付帯されている検査インスタンスＵＩＤと、オーダ情報に含まれるオーダ番号や患者ＩＤとが対応付けられる。
【００６２】
その後、病院情報管理装置１０ｂでは、制御部１１により、患者、検査単位のリストが表示部１３に表示される。医師による入力部１２からの操作により、オーダ情報のうち、オーダ番号、患者ＩＤ、患者氏名等が指定されると、制御部１１の制御に従って、通信部１４により、画像サーバ３０ｂに対して、指定されたオーダ情報に対応する医用画像データの取得要求が送信される（ステップＳ１５）。
【００６３】
画像サーバ３０ｂでは、通信部３４により、病院情報管理装置１０ｂから送信された医用画像データの取得要求が受信される。そして、制御部３１により、指定されたオーダ情報に対応する医用画像データが記憶装置３６から読み出され、通信部３４により、病院情報管理装置１０ｂに送信される（ステップＳ１６）。
【００６４】
病院情報管理装置１０ｂでは、通信部１４により、画像サーバ３０ｂから送信された医用画像データが受信され、制御部１１により、医用画像が表示部１３に表示される（ステップＳ１７）。
以上で、医用画像データ登録処理が終了する。
【００６５】
以上説明したように、第１の医用画像システム１００によれば、医用画像データとオーダ情報とを対応付けて可搬媒体４０に記憶させるので、他の医療機関に可搬媒体４０が持ち込まれた場合に、可搬媒体４０に記憶されている医用画像データを容易に利用することができる。また、可搬媒体４０には、医用画像データとオーダ情報とが対応付けられて記憶されるので、相互のデータの信頼性も高まる。
【００６６】
また、第２の医用画像システム２００によれば、病院情報管理装置１０ｂにおいて、他の病院Ａで作成された可搬媒体４０からオーダ情報を読み出し、画像サーバ３０ｂに送信するので、画像サーバ３０ｂでは、可搬媒体４０から読み出した医用画像データとオーダ情報とを対応付けて記憶装置３６に記憶させることができる。したがって、第２の医用画像システム２００において、他の病院Ａで生成された医用画像データについても、システム内の撮影ワークフローに従って生成された医用画像データと同様に扱うことが可能となり、可搬媒体４０に記憶されている医用画像データを容易に利用することができる。また、可搬媒体４０に記憶されているオーダ情報を利用するので、人がデータを手入力する場合と比較して、データの入力ミスを防ぐことができる。
【００６７】
このように、医用画像システム１によれば、第１の医用画像システム１００において、医用画像データとオーダ情報とを対応付けて可搬媒体４０に記憶させるので、第２の医用画像システム２００において、可搬媒体４０に記憶されている医用画像データを容易に利用することができる。
【００６８】
なお、上記実施の形態における記述は、本発明に係る医用画像システムの一例であり、これに限定されるものではない。各システムを構成する各装置の細部構成及び細部動作に関しても適宜変更可能である。
【００６９】
例えば、上記実施の形態では、病院情報管理装置１０ａからモダリティ２０ａ及び画像サーバ３０ａに対してオーダ情報を直接送信することとしたが、病院情報管理装置１０ａからＲＩＳ等の部門システムを介してモダリティ２０ａ及び画像サーバ３０ａにオーダ情報を送信することとしてもよい。また、同様に、病院情報管理装置１０ｂからＲＩＳ等の部門システムを介して画像サーバ３０ｂにオーダ情報を送信することとしてもよい。
【００７０】
また、上記実施の形態では、第１の医用画像システム１００の画像サーバ３０ａにおいて可搬媒体４０に医用画像データとオーダ情報とを対応付けて記憶させ、第２の医用画像システム２００において可搬媒体４０に記憶されているデータを利用することとしたが、第２の医用画像システム２００において可搬媒体４０に医用画像データとオーダ情報とを対応付けて記憶させ、第１の医用画像システム１００や他の医療機関において可搬媒体４０に記憶されているデータを利用することも可能である。
【図面の簡単な説明】
【００７１】
【図１】実施の形態における医用画像システムのシステム構成図である。
【図２】病院情報管理装置の機能的構成を示すブロック図である。
【図３】モダリティの機能的構成を示すブロック図である。
【図４】画像サーバの機能的構成を示すブロック図である。
【図５】可搬媒体のデータ構造を示す図である。
【図６】可搬媒体作成処理を示すラダーチャートである。
【図７】医用画像データ登録処理を示すラダーチャートである。
【符号の説明】
【００７２】
１  医用画像システム
１０ａ，１０ｂ  病院情報管理装置
１１  制御部
１２  入力部
１３  表示部
１４  通信部
１５  メディアドライブ
１６  記憶部
１７  バス
２０ａ，２０ｂ  モダリティ
２１  制御部
２２  入力部
２３  表示部
２４  通信部
２５  撮影部
２６  記憶部
２７  バス
３０ａ，３０ｂ  画像サーバ
３１  制御部
３２  入力部
３３  表示部
３４  通信部
３５  メディアドライブ
３６  記憶装置
３７  バス
４０  可搬媒体
１００  第１の医用画像システム
２００  第２の医用画像システム
Ｎ１，Ｎ２  通信ネットワーク
【図１】
2010131034.tif 000003
【図２】
2010131034.tif 000004
【図３】
2010131034.tif 000005
【図４】
2010131034.tif 000006
【図５】
2010131034.tif 000007
【図６】
2010131034.tif 000008
【図７】
2010131034.tif 000009